(57)【要約】【課題】画像データを容易に確認することができる家電機器用データを生成するデータ生成プログラムの提供。【解決手段】コンピュータを、複数の画像データをグループに分類する分類手段１４、各々のグループに属する全ての画像データに基づく画像を配列したインデックス画像を生成するインデックス画像生成手段１５、画像データに基づいて動画データを生成した後、該動画データに基づいて家電機器用データを生成すると共に、メニュー画面でチャプターを選択した時に表示される画面の情報として、該チャプターに対応するグループのインデックス画像を登録するデータ生成手段１６として機能させる。これにより、メニュー画面でチャプターを選択すればチャプターに対応するインデックス画像が表示されるため、インデックス画像を用いて、家電機器用データを構成する画像データを容易に確認できる。【選択図】図７
2007074054.tif 000002
【特許請求の範囲】
【請求項１】
コンピュータを、
予め定められたルール又は予め記憶された指示情報に従って、複数の画像データを１又は複数のグループに分類する手段、
各々の前記グループに属する画像データに基づいて動画データを生成し、前記動画データに基づいて該動画データ毎にチャプターで分割された特定種類のデータを生成すると共に、メニュー画面で前記チャプターが選択された時に表示される画面の情報として、該チャプターに対応する前記グループに属する全ての画像データに基づく画像を登録する手段、として機能させることを特徴とするデータ生成プログラム。
【請求項２】
コンピュータを、
予め定められたルール又は予め記憶された指示情報に従って、複数の画像データを１又は複数のグループに分類する手段、
各々の前記グループに対して、該グループに属する全ての画像データに基づく画像を配列したインデックス画像を生成する手段、
各々の前記グループに属する画像データに基づいて動画データを生成し、前記動画データに基づいて該動画データ毎にチャプターで分割された特定種類のデータを生成すると共に、メニュー画面で前記チャプターが選択された時に表示される画面の情報として、該チャプターに対応する前記グループの前記インデックス画像を登録する手段、として機能させることを特徴とするデータ生成プログラム。
【請求項３】
コンピュータを、
予め定められたルール又は予め記憶された指示情報に従って、複数の画像データを１又は複数のグループに分類する手段、
前記複数の画像データに基づいて動画データを生成し、前記動画データに基づいて特定種類のデータを生成すると共に、各々の前記グループに対応付けてチャプターを設定し、かつ、メニュー画面で前記チャプターが選択された時に表示される画面の情報として、該チャプターに対応する前記グループに属する全ての画像データに基づく画像を登録する手段、として機能させることを特徴とするデータ生成プログラム。
【請求項４】
コンピュータを、
予め定められたルール又は予め記憶された指示情報に従って、複数の画像データを１又は複数のグループに分類する手段、
各々の前記グループに対して、該グループに属する全ての画像データに基づく画像を配列したインデックス画像を生成する手段、
前記複数の画像データに基づいて動画データを生成し、前記動画データに基づいて特定種類のデータを生成すると共に、各々の前記グループに対応付けてチャプターを設定し、かつ、メニュー画面で前記チャプターが選択された時に表示される画面の情報として、該チャプターに対応する前記グループの前記インデックス画像を登録する手段、として機能させることを特徴とするデータ生成プログラム。
【請求項５】
前記予め定められたルールとは、所定数の画像データを１単位としてグループ化する方法、画像データから抽出される日付が同じ画像データを１単位としてグループ化する方法、又は、所定数のグループが形成されるように画像データを略等分割する方法のいずれかであることを特徴とする請求項１乃至４のいずれか一に記載のデータ生成プログラム。
【請求項６】
前記動画データはＭＰＥＧ１形式又はＭＰＥＧ２形式のデータであり、前記特定種類のデータはＤＶＤ−Ｖｉｄｅｏ形式のデータであることを特徴とする請求項１乃至５のいずれか一に記載のデータ生成プログラム。
【発明の詳細な説明】
【技術分野】
【０００１】
本発明は、データ生成プログラムに関し、特に、画像データに基づいて家電機器で再生可能なデータを生成するデータ生成プログラムに関する。
【背景技術】
【０００２】
近年、写真画像に関する様々なサービスが提供されている。例えば、フィルムカメラで写真を撮影した場合、ミニラボ等の写真店やコンビニエンスストア等の注文店に撮影済みのネガフィルムを持ち込むと、写真店ではネガフィルムを現像した後、写真画像をスキャナ等で読み取り、読み取った画像データをＣＤ−Ｒ、ＤＶＤ−Ｒ等の記録媒体に書き込んでユーザに提供するといったサービスが行われている。
【０００３】
また、デジタルカメラで写真を撮影した場合、デジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むこともできる（上記無人端末に関しては、例えば、下記特許文献１参照）。
【０００４】
また、ネガフィルムから読み取った画像データやデジタルカメラ、メディアから読み取った画像データを単に記録媒体に記録するのではなく、これらの画像データからスライドショーとして表示される動画データを生成し、該動画データからＤＶＤプレーヤやＤＶＤレコーダ、ＨＤＤレコーダ、ゲーム機などの家電機器で再生可能なデータ（以下、家電機器用データと呼ぶ。）を生成し、該データを画像データと共にＣＤ−ＲやＤＶＤ−Ｒなどの記録媒体に書き込むサービスも行われている。
【０００５】
また、読み取った画像データから家電機器用データを生成したり、画像データや家電機器用データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データや生成した家電機器用データを記録媒体に書き込むこともできる。
【０００６】
【特許文献１】特開平１１−８８１７号公報（第３−４頁、第１図）
【発明の開示】
【発明が解決しようとする課題】
【０００７】
上記家電機器用データは、複数の画像データに基づく画像が順次又は所定のスライド効果で切り替わる一連の動画として記録されるため、記録媒体を家電機器に装填すれば、特別な操作をすることなく画像を順番に閲覧することができる。しかしながら、複数の画像データを一連の動画として記録する方法では、例えば、スライドショーの後ろの方に記録された画像を閲覧したい場合でも、その前に記録された画像を表示させなければならないという不便さがある。
【０００８】
そこで、家電機器用データを生成する際に、複数の画像データをチャプターで分割することもできる。この方法の場合、メニュー画面でチャプターを選択することにより任意のチャプターから画像データを再生することができるが、メニュー画面には各々のチャプターに属する複数の画像データの中の一つの画像データに基づく画像（通常は先頭の画像）が表示されるのみであり、メニュー画面を見ただけではどのチャプターにどの画像データが含まれているかが分からないため、所望の画像を容易に確認することができないという問題がある。
【０００９】
本発明は、上記問題点に鑑みてなされたものであって、その主たる目的は、家電機器用データに含まれる画像データを容易に確認することができる家電機器用データを生成するデータ生成プログラムを提供することにある。
【課題を解決するための手段】
【００１０】
上記目的を達成するため、本発明のデータ生成プログラムは、コンピュータを、予め定められたルール又は予め記憶された指示情報に従って、複数の画像データを１又は複数のグループに分類する手段、各々の前記グループに属する画像データに基づいて動画データを生成し、前記動画データに基づいて該動画データ毎にチャプターで分割された特定種類のデータを生成すると共に、メニュー画面で前記チャプターが選択された時に表示される画面の情報として、該チャプターに対応する前記グループに属する全ての画像データに基づく画像を登録する手段、として機能させるものである。
【００１１】
また、本発明のデータ生成プログラムは、コンピュータを、予め定められたルール又は予め記憶された指示情報に従って、複数の画像データを１又は複数のグループに分類する手段、各々の前記グループに対して、該グループに属する全ての画像データに基づく画像を配列したインデックス画像を生成する手段、各々の前記グループに属する画像データに基づいて動画データを生成し、前記動画データに基づいて該動画データ毎にチャプターで分割された特定種類のデータを生成すると共に、メニュー画面で前記チャプターが選択された時に表示される画面の情報として、該チャプターに対応する前記グループの前記インデックス画像を登録する手段、として機能させるものである。
【００１２】
また、本発明のデータ生成プログラムは、コンピュータを、予め定められたルール又は予め記憶された指示情報に従って、複数の画像データを１又は複数のグループに分類する手段、前記複数の画像データに基づいて動画データを生成し、前記動画データに基づいて特定種類のデータを生成すると共に、各々の前記グループに対応付けてチャプターを設定し、かつ、メニュー画面で前記チャプターが選択された時に表示される画面の情報として、該チャプターに対応する前記グループに属する全ての画像データに基づく画像を登録する手段、として機能させるものである。
【００１３】
また、本発明のデータ生成プログラムは、コンピュータを、予め定められたルール又は予め記憶された指示情報に従って、複数の画像データを１又は複数のグループに分類する手段、各々の前記グループに対して、該グループに属する全ての画像データに基づく画像を配列したインデックス画像を生成する手段、前記複数の画像データに基づいて動画データを生成し、前記動画データに基づいて特定種類のデータを生成すると共に、各々の前記グループに対応付けてチャプターを設定し、かつ、メニュー画面で前記チャプターが選択された時に表示される画面の情報として、該チャプターに対応する前記グループの前記インデックス画像を登録する手段、として機能させるものである。
【００１４】
本発明においては、前記予め定められたルールは、所定数の画像データを１単位としてグループ化する方法、画像データから抽出される日付が同じ画像データを１単位としてグループ化する方法、又は、所定数のグループが形成されるように画像データを略等分割する方法のいずれかとすることができる。
【００１５】
また、本発明においては、前記動画データはＭＰＥＧ１形式又はＭＰＥＧ２形式のデータであり、前記特定種類のデータはＤＶＤ−Ｖｉｄｅｏ形式のデータであることが好ましい。
【００１６】
このように、本発明の構成によれば、メニュー画面でチャプターを選択した時に表示される画面の情報として、該チャプターに対応するグループのインデックス画像、又は、該グループに属する全ての画像データに基づく画像が登録されるため、メニュー画面でチャプターを選択するだけで、そのチャプターに対応するグループの画像が表示され、これにより、特定種類のデータに含まれる画像データを容易に確認することができる。
【発明の効果】
【００１７】
本発明のデータ生成プログラムによれば、ＤＶＤプレーヤなどの家電機器を用いて複数の画像データに基づく画像がスライド表示されるスライドショーを実行する際に、家電機器用データに含まれる画像データを容易に確認することができる。
【００１８】
その理由は、予め定められたルール又は指示情報に従って複数の画像データを１又は複数のグループに分類し、複数の画像データに基づいて、グループに対応付けてチャプターで分割された家電機器用データを生成する際に、メニュー画面でチャプターを選択した時に表示される画面の情報として、該チャプターに対応するグループに属する全ての画像データに基づく画像を登録することにより、ユーザがメニュー画面でチャプターを選択すれば、そのチャプターに対応するグループの全ての画像が表示されるからである。
【００１９】
また、予め定められたルール又は指示情報に従って複数の画像データを１又は複数のグループに分類し、各々のグループに対して、該グループに属する全ての画像データに基づく画像を配列したインデックス画像を生成し、複数の画像データに基づいて、グループに対応付けてチャプターで分割された家電機器用データを生成する際に、メニュー画面でチャプターを選択した時に表示される画面の情報として、該チャプターに対応するグループのインデックス画像を登録することにより、ユーザがメニュー画面でチャプターを選択すれば、そのチャプターに対応するインデックス画像が表示されるからである。
【発明を実施するための最良の形態】
【００２０】
本発明のデータ生成プログラムは、その好ましい一実施の形態において、コンピュータを、予め定められたルール又は指示情報に従って複数の画像データを１又は複数のグループに分類する手段、各々のグループに対して、該グループに属する全ての画像データに基づく画像を配列したインデックス画像を生成する手段、画像データに基づいてＭＰＥＧ１、２などの動画データを生成した後、該動画データに基づいてＤＶＤ−Ｖｉｄｅｏ形式などの家電機器用データを生成すると共に、メニュー画面でチャプターを選択した時に表示される画面の情報として、該チャプターに対応するグループのインデックス画像を登録する手段、として機能させる。これにより、ユーザはメニュー画面で所望のチャプターを選択するだけで、選択されたチャプターに対応するインデックス画像が表示されるため、インデックス画像を用いて、家電機器用データを構成する画像データを容易に確認することができる。
【実施例１】
【００２１】
次に、本発明の第１の実施例に係るデータ生成プログラムについて、図１乃至図１５を参照して説明する。図１は、本実施例に係る記録装置の外観構成を模式的に示す図であり、図２乃至図６は、そのバリエーションを示す図、図７は、記録装置の手段を示すブロック図である。また、図８は、記録装置を用いたデータの記録手順を示すフローチャート図であり、図９は、家電機器用データの作成手順を模式的に示す図である。また、図１０は、記録媒体におけるデータの記録構造を示す図、図１１は、記録媒体におけるデータの記録領域を示す図、図１２は、記録媒体（ＣＤ−Ｒ）の構造を模式的に示す図である。また、図１３は、記録装置の表示手段に表示される画面の構成例を示す図であり、図１４及び図１５は、家電機器の表示手段に表示される画面の構成例を示す図である。
【００２２】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１１を介してサーバ１２に接続するネットワーク接続部、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスクなどの記録媒体９を装填する記録媒体装填部４、ボタン、キーボード、マウス等の操作手段６及びＬＣＤ、ＣＲＴ等の表示手段５とを備え、上記記録媒体９がパーソナルコンピュータや次世代ＰＣなどのコンピュータ機器１８ａやＤＶＤプレーヤ、ＤＶＤレコーダ、ＨＤＤレコーダ、ゲーム機などの家電機器１８ｂで利用される。
【００２３】
また、記録装置１に備える主な手段をブロック図で示すと図７のようになり、メディア装填部２や機器接続部３、ネットワーク接続部などを用いてデジタルカメラ７やメディア８などから画像データ（静止画像データ、動画データ、画像情報を含むデータを総称して画像データと呼ぶ。）を読み取るデータ読み取り手段１３と、予め定められたルール又は指示情報に従って読み取った複数の画像データを１又は複数のグループに分類する分類手段１４と、各々のグループに対して、該グループに属する全ての画像データに基づく画像を配列したインデックス画像を生成するインデックス画像生成手段１５と、画像データから特定のファイル形式（例えば、ＭＰＥＧ１形式又はＭＰＥＧ２形式）の動画データを生成し、動画データに基づいて家電機器１８ｂで利用可能なファイル形式（例えば、ＤＶＤ−Ｖｉｄｅｏ形式）の家電機器用データを生成すると共に、メニュー画面でチャプターが選択された時に表示される画面の情報として、該チャプターに対応するグループのインデックス画像を登録するデータ生成手段１６と、記録媒体装填部４に装填された記録媒体９に、生成された家電機器用データと必要に応じて読み取った画像データなどとを記録させる制御を行う記録制御手段１７と、スライドショーの表示などを行う表示手段５と、画像データの選択などを行う操作手段６とを備えている。
【００２４】
なお、上記各手段は記録装置１にハードウェアとして構成されていてもよいし、コンピュータを、分類手段１４、インデックス画像生成手段１５及びデータ生成手段１６、又は、分類手段１４及びデータ生成手段１６として機能させるデータ生成プログラムとして構成し、該データ生成プログラムを記録装置１にインストールして実行する構成とすることができる。また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、図６に示すようにハードディスクを備えた端末と画像データの読み取りや書き込みを行う本体とが分離可能な携帯機器としたり、演算処理機能を備えたカーナビゲーション機器などとすることもできる。
【００２５】
次に、上記構成の記録装置１（データ生成プログラム）を用いて、記録媒体９に各種データを記録する手順について、図８のフローチャート図を参照して説明する。なお、以下のステップで表示される画面は例示であり、必要に応じて構成を変更したり省略することもできる。
【００２６】
まず、本実施例の記録装置１を起動すると、表示手段５に所定のメニュー画面が表示され、ステップＳ１０１で、新しい記録媒体９の作成を指示すると、表示手段５に記録媒体９に各種データを記録するまでの手順が表示された画面や画像データの読み取り先を選択する画面が表示される。そして、所望の読み取り先を選択すると、表示手段５に、例えばメディア８をメディア装填部２に装填、又はデジタルカメラ７を機器接続部３に接続するように促すメッセージが表示される。
【００２７】
次に、ステップＳ１０２で、メッセージの指示に従って、例えば記録装置１のメディア装填部２にメディア８を装填、又は機器接続部３にデジタルカメラ７を接続すると、ステップＳ１０３で、データ読み取り手段１３は、メディア８やデジタルカメラ７などに記録された複数の画像データを読み取る。なお、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や記録装置１のハードディスク、通信ネットワーク１１を介して接続されるサーバ１２などであってもよい。また、画像データのファイル形式も任意であり、例えば、静止画像データとして、デジタルカメラ７で撮像して得られたままの撮像画像データであるＲＡＷ形式、デジタルカメラ７固有の形式、ｅｘｉｆ（Exchangeable Image File Format）形式、ｂｍｐ（Windows（登録商標） Bitmapfile）形式、ｇｉｆ（CompuServe Graphics Interchange Format File）形式、ｔｉｆ（Tagget Image File Format file）形式、ｊｐｅｇ（Joint Photographic Coding Experts Group）形式などとしてもよく、動画データとして、ＡＶＩ（Audio Video Interleaving）形式、ＭＯＶ形式、ＭＰＥＧ（Moving Picture Experts Group）１、２、４、７形式、ＷＭＶ（Windows（登録商標） Media Video）形式などとしてもよい。
【００２８】
そして、画像データの読み取りが終了すると、表示手段５に、例えば図１３に示すような画像選択画面１９が表示される。この画像選択画面１９には、読み取った画像データに基づく画像を一覧表示する一覧表示欄２０と、その中から選択した画像を拡大表示する拡大表示欄２１と、作業を選択する作業メニュー欄２２とが設けられており、ステップＳ１０４で、必要に応じて、一覧表示欄２０で選択した画像を拡大表示欄２１で回転するなどして画像データを選択した後、作業メニュー欄２２を操作して所定の画面を表示させ、画像の順番を変えたり、タイトルを入力したり、フォトフレームを作成したり、画像に文字を合成させたり、ＢＧＭとして再生する音楽データを選択したり、スライドショーの確認などの処理を行う。
【００２９】
次に、ステップＳ１０５で、分類手段１４を用いて、所定のルールに従って、又は所定の指示情報に従って、又はユーザの指示に従って、複数の画像データを１又は複数のグループに分類し、インデックス画像生成手段１５を用いて、各々のグループに対して、該グループに属する全ての画像データに基づく画像を配列してインデックス画像を生成する。なお、所定のルールとして、ファイル名順や日付順に並べた画像データを所定数（例えば、１０コマ）毎に１つのグループとしたり、各々の画像データのヘッダ情報などから抽出した日付情報に基づいて日付の同じ画像データを１つのグループとしたり、グループの数が所定数となるように複数の画像データを略等分割するなどの方法を用いることができる。また、指示情報はメタデータなどに記憶しておくことができ、このメタデータは記録装置１の記憶手段やメディア８、デジタルカメラ７などに記録しておくことができる。また、上記インデックス画像は、各々のグループに属する全ての画像データに基づく画像が識別可能に表示されていればよく、各々の画像のサイズや画像の配列などは任意である。
【００３０】
次に、ステップＳ１０６で、データ生成手段１６を用いて、グループ毎の画像データに基づいて動画データを生成（エンコード）する。具体的には、例えば、図９（ａ）に示すように、３０個の画像データを１０コマ毎にグループ化して家電機器用データを生成する場合を例にして説明すると、図９（ｂ）に示すように、各々の静止画像データに対して、スライド間隔分の差分データ（画像を順次切り替える場合は差分０のデータ、画像をスライド効果に基づいて切り替える場合はスライド効果に基づく差分が記録されたデータ）を付加し、１０コマの静止画像データと各々に付加される差分データとを１つの単位としてＭＰＥＧ１形式又はＭＰＥＧ２形式の動画データを生成する。また、読み取った画像データ中の動画データが含まれており、そのファイル形式がＭＯＶ形式、ＷＭＶ形式又はＡＶＩ形式の場合には、動画データのファイル形式をＭＰＥＧ１形式又はＭＰＥＧ２形式に変換する。
【００３１】
次に、ステップＳ１０７で、データ生成手段１６を用いて、グループ毎に生成された動画データに基づいて、該動画データ毎にチャプターで分割された家電機器用データ（ここではＤＶＤ−Ｖｉｄｅｏ形式のデータ）を生成（オーサリング）する。その際、ＤＶＤ−Ｖｉｄｅｏ規格に準じて、図９（ｃ）に示すように、チャプター構成に関する情報をビデオマネージャ（ＶＭＧ）のファイル（VIDEO_TS.IFO）に登録すると共に、メニュー画面（図１４のメニュー画面２３）の情報として、各々のチャプターに属する画像データの中の１つの画像データに基づく画像（通常、先頭に位置する画像、例えば画像１、１１、２１など）をビデオマネージャ（ＶＭＧ）のファイル（VIDEO_TS.VOB）に登録し、更に、メニュー画面でチャプターが選択された時に表示される画面（図１５のインデックス画面２４）の情報として、該チャプターに対応するグループのインデックス画像をビデオマネージャ（ＶＭＧ）のファイル（VIDEO_TS.VOB）やビデオタイトルセット（ＶＴＳ）のファイル（VIDEO_TS_**_0.VOB）に登録する。
【００３２】
なお、上記フローでは、ステップＳ１０５でインデックス画像を生成し、ステップＳ１０７で、メニュー画面でチャプターが選択された時に表示される画面の情報としてインデックス画像を登録する構成としたが、インデックス画像を生成せずに、ステップＳ１０７で、データ生成手段１６を用いて、メニュー画面でチャプターが選択された時に表示される画面の情報として、該チャプターに対応するグループに属する全ての画像データに基づく画像をVIDEO_TS.VOBやVIDEO_TS_**_0.VOBに登録する構成とすることもできる。
【００３３】
次に、作業メニュー欄２２の”メディアに書き込む”を選択すると、表示手段５に記録媒体９を記録媒体装填部４に装填するように促すメッセージが表示され、ステップＳ１０８で、該メッセージに従って記録装置１の記録媒体装填部４にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスクなどの記録媒体９を装填する。
【００３４】
この記録媒体９は任意の記録媒体とすることができるが、特定の記録媒体９に対してのみデータの記録が行われるようにしてもよく、その場合は、ステップＳ１０９で記録媒体９の所定の領域に記録媒体９を識別するための識別情報が記録されているか否かを調べる構成としてもよい。この識別情報の内容は限定されず、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してデータを記録するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３５】
ここで、一般的な記録媒体９の構造について、図１２を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３６】
次に、記録媒体９に生成した家電機器用データや元の画像データなどを記録するが、家電機器１８ｂではデータを読み込むことができる記録領域が限定されるため、ステップＳ１１０で、記録制御手段１７を用いて、生成した家電機器用データを記録媒体９の論理アドレス領域の内側に記録する。なお、この論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ）情報の領域は含まない領域である。
【００３７】
次に、必要に応じてセッションをクローズした後、ステップＳ１１１で、記録制御手段１７を用いて、必要に応じて、元の画像データや縮小画像データ、音楽データ、スライドショープログラムなどのアプリケーション、スライドショーの設定ファイル、情報ファイル、自動起動ファイルなどを先に記録された家電機器用データの外側に記録して一連の書き込み処理を終了する。
【００３８】
上記手順で作成された記録媒体９は、例えば、図１１に示すように各種データが記録され、ディスク型記録媒体９の最内周の論理アドレス領域外（上記論理アドレス領域以外の領域であって論理アドレス領域よりも内周側に位置する領域）には必要に応じて所定の識別情報が記録され、その外周に位置する論理アドレス領域の内周側の領域には家電機器用データが記録され、更に家電機器用データの外周側の領域には必要に応じて元の画像データなどが記録される。
【００３９】
また、上記手順で作成された記録媒体９（ＤＶＤ−Ｒ）のディレクトリ構造は、例えば、図１０に示すようになり、”PS_Roll”フォルダ内に格納された画像データや縮小画像データ、”APPL”フォルダ内に格納されたスライドショープログラムやスライドショーの再生指示情報（Slidesetting.ini）、記録媒体９に関する各種情報が記述された情報ファイル（index.pvm）や自動起動ファイル（Autrun.inf）などでコンピュータ機器用データが構成され、また、”VIDEO_TS”フォルダ内のビデオマネージャ（ＶＭＧ）とビデオタイトルセット（ＶＴＳ）とで家電機器用データ（ＤＶＤ−Ｖｉｄｅｏデータ）が構成される。具体的には、ＶＭＧは、ビデオ全体を制御するための情報が記録されたVIDEO_TS.IFO、そのバックアップファイルであるVIDEO_TS.BUP、メニュー画面のためのデータやインデックス画像のデータなどを格納するVIDEO_TS.VOBファイルで構成され、ＶＴＳは、ＶＴＳ全体を制御する情報が記述されたVTS_**_0.IFO、そのバックアップファイルであるVTS_**_0.BUP、インデックス画像のデータなどを格納するVTS_**_0.VOB、ＶＴＳの各チャプターの動画データを格納するVTS_**_1.VOB〜などで構成される。
【００４０】
なお、画像データのディレクトリ構造は任意であるが、画像データをコンピュータ機器１８ａなどにバックアップした場合における管理を容易にするために、例えば、図１０に示すように、画像データの格納場所を示すフォルダ（PS_Roll）の下位の階層にメディア８毎、機器毎、フィルム毎のデータの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々のデータをCCYYMMDDxxxxxx（CC：データの種別、YYMMDD：書き込み年月日を特定する数字、xxxxxx：シーケンシャル番号）などにリネームしてもよい。
【００４１】
そして、ステップＳ１１２で、この記録媒体９（ＤＶＤ−Ｒ）を家電機器１８ｂにセットすると、例えば図１４に示すように、各々のチャプターの代表画像が一覧表示されたメニュー画面２３が表示され、ユーザがメニュー画面２３の中から所望のチャプターを選択すると、選択したチャプターに対応するインデックス画面２４が表示され、該チャプターに属する全ての画像データに基づく画像が識別可能に表示される。また、インデックス画面２４の中から所望の画像を選択すると、選択した画像から家電機器用データが再生される。
【００４２】
このように、本実施例では、複数の画像データがグループに分割され、各々のグループに対して該グループに属する全ての画像データに基づく画像が配列されたインデックス画像が生成され、複数の画像データに基づいて動画データを生成し、動画データに基づいて家電機器用データを生成すると共に、メニュー画面でチャプターを選択した場合に表示される画面の情報として、該チャプターに対応するグループのインデックス画像、又は、該チャプターに対応するグループに属する全ての画像データに基づく画像が登録されるため、メニュー画面２３でチャプターを選択することによってインデックス画面２４が表示され、このインデックス画面２４により家電機器用データに含まれる画像データを容易に確認することができる。
【００４３】
なお、上記では、複数の画像データをチャプター分割して家電機器用データを生成する場合について説明したが、複数の画像データをタイトル分割し、必要に応じて、各々のタイトルに属する全ての画像データに基づく画像を配列したインデックス画像を生成し、メニュー画面でタイトルが選択された場合に表示される画面の情報として、該タイトルに対応するグループのインデックス画像、又は、該タイトルに対応するグループに属する全ての画像データに基づく画像を登録する構成とすることもできる。
【実施例２】
【００４４】
次に、本発明の第２の実施例に係るデータ生成プログラムについて、図１６及び図１７を参照して説明する。図１６は、記録装置を用いたデータの記録手順を示すフローチャート図であり、図１７は、家電機器用データの作成手順を模式的に示す図である。
【００４５】
前記した第１の実施例では、グループ毎に複数の動画データを生成し、複数の動画データに基づいて家電機器用データを生成したが、複数の画像データに基づいて１つの動画データを生成した場合でも、チャプター情報を設定することによって同様の機能を有する家電機器用データを生成することが可能である。その場合の手順について、図１６のフローチャート図を参照して説明する。
【００４６】
まず、第１の実施例と同様に、メディア８やデジタルカメラ７などに記録された画像データを読み取り、画像データの選択などを行う（ステップＳ２０１〜Ｓ２０４）。
【００４７】
次に、ステップＳ２０５で、分類手段１４を用いて、予め定められたルール又は指示情報に従って、又はユーザの指示に従って、複数の画像データを１又は複数のグループに分類し、インデックス画像生成手段１５を用いて、各々のグループに対して、該グループに属する全ての画像データに基づく画像を配列してインデックス画像を生成する。なお、所定のルールとして、第１の実施例と同様に、ファイル名順や日付順に並べた画像データを所定数毎に１つのグループとしたり、日付の同じ画像データを１つのグループとしたり、グループの数が所定数となるように複数の画像データを略等分割するなどの方法を用いることができ、また、指示情報は、記録装置１の記憶手段やメディア８、デジタルカメラ７などに記録されるメタデータなどに記憶しておくことができる。
【００４８】
次に、ステップＳ２０６で、データ生成手段１６を用いて、全ての画像データに基づいて動画データを生成（エンコード）する。具体的には、例えば、図１７（ａ）に示すように、３０個の画像データを１０コマ毎にチャプター化して家電機器用データを生成する場合を例にして説明すると、図１７（ｂ）に示すように、静止画像データに対しては、各々の画像を順次表示する場合はスライド間隔分の差分０のデータを付加、所定のスライド効果で画像を表示する場合はスライド効果に基づく差分データを付加し、また、動画データに対しては必要に応じてファイル形式を変換して、ＭＰＥＧ１形式又はＭＰＥＧ２形式の１つの動画データを生成する。
【００４９】
次に、ステップＳ２０７で、データ生成手段１６を用いて、１つの動画データに基づいて、家電機器で再生可能な形式の家電機器用データ（ここではＤＶＤ−Ｖｉｄｅｏ形式のデータ）を生成（オーサリング）する。その際、ＤＶＤ−Ｖｉｄｅｏ規格に準じて、図１７（ｃ）に示すように、上記ステップで分類した各々のグループに対応付けてチャプターを設定し、そのチャプター構成に関する情報をビデオマネージャ（ＶＭＧ）のファイル（VIDEO_TS.IFO）に登録すると共に、メニュー画面（図１４のメニュー画面２３）の情報として、各々のチャプターに属する画像データの中の１つの画像データに基づく画像をビデオマネージャ（ＶＭＧ）のファイル（VIDEO_TS.VOB）に登録し、更に、メニュー画面でチャプターが選択された時に表示される画面（図１５のインデックス画面２４）の情報として、該チャプターに対応するグループのインデックス画像をビデオマネージャ（ＶＭＧ）のファイル（VIDEO_TS.VOB）やビデオタイトルセット（ＶＴＳ）のファイル（VIDEO_TS_**_0.VOB）に登録する。
【００５０】
なお、本実施例においても、インデックス画像を生成せずに、ステップＳ２０７で、データ生成手段１６を用いて、データ生成手段１６を用いて、メニュー画面でチャプターが選択された時に表示される画面の情報として、該チャプターに対応するグループに属する全ての画像データに基づく画像をVIDEO_TS.VOBやVIDEO_TS_**_0.VOBに登録する構成とすることもできる。
【００５１】
次に、第１の実施例と同様に、記録媒体装填部４に装填された記録媒体９の内周側に家電機器用データを記録し、必要に応じてセッションをクローズした後、元の画像データや縮小画像データ、音楽データ、スライドショープログラムなどのアプリケーション、スライドショーの設定ファイル、情報ファイル、自動起動ファイルなどのコンピュータ機器用データを先に記録された家電機器用データの外側に記録する（ステップＳ２０８〜Ｓ２１１）。
【００５２】
そして、ステップＳ２１２で、この記録媒体９（ＤＶＤ−Ｒ）を家電機器１８ｂにセットすると、例えば図１４に示すように、各々のチャプターの代表画像が一覧表示されたメニュー画面２３が表示され、ユーザがメニュー画面２３の中から所望のチャプターを選択すると、選択したチャプターに対応するインデックス画面２４が表示され、該チャプターに属する全ての画像データに基づく画像が識別可能に表示される。また、インデックス画面２４の中から所望の画像を選択すると、選択した画像から家電機器用データが再生される。
【００５３】
このように、本実施例では、複数の画像データがグループに分割され、各々のグループに対して該グループに属する全ての画像データに基づく画像が配列されたインデックス画像が生成され、複数の画像データに基づいて動画データを生成し、動画データに基づいて家電機器用データを生成すると共に、各々のグループがチャプターとして設定され、メニュー画面でチャプターを選択した場合に表示される画面の情報として、該チャプターに対応するグループのインデックス画像、又は、該チャプターに対応するグループに属する全ての画像データに基づく画像が登録されるため、メニュー画面２３でチャプターを選択することによってインデックス画面２４が表示され、このインデックス画面２４により家電機器用データに含まれる画像データを容易に確認することができる。
【００５４】
なお、上記各実施例では、画像データからＤＶＤ−Ｖｉｄｅｏ形式のデータを生成する場合について主に説明したが、本発明は上記実施例に限定されるものではなく、例えば、画像データからＶｉｄｅｏ−ＣＤ形式又はＨＤＴＶ形式のデータを生成する場合や、音楽データからＤＶＤ−Ａｕｄｉｏ形式のデータを生成する場合などについても同様に適用することができる。
【図面の簡単な説明】
【００５５】
【図１】本発明の第１の実施例に係る記録装置の外観構成を模式的に示す図である。
【図２】本発明の第１の実施例に係る記録装置の他の外観構成を示す図である。
【図３】本発明の第１の実施例に係る記録装置の他の外観構成を示す図である。
【図４】本発明の第１の実施例に係る記録装置の他の外観構成を示す図である。
【図５】本発明の第１の実施例に係る記録装置の他の外観構成を示す図である。
【図６】本発明の第１の実施例に係る記録装置の他の外観構成を示す図である。
【図７】本発明の第１の実施例に係る記録装置の構成を示すブロック図である。
【図８】本発明の第１の実施例に係る記録装置を用いたデータの書き込み手順を示すフローチャート図である。
【図９】本発明の第１の実施例に係る家電機器用データの作成手順を模式的に示す図である。
【図１０】本発明の第１の実施例に係る記録媒体（ＤＶＤ−Ｒ）におけるデータの記録構造を示す図である。
【図１１】本発明の第１の実施例に係る記録媒体におけるデータの記録領域を示す図である。
【図１２】記録媒体（ＣＤ−Ｒ）の構造を模式的に示す図である。
【図１３】本発明の第１の実施例に係る記録装置の表示手段に表示される画面例（画像選択画面）を示す図である。
【図１４】本発明の第１の実施例に係る家電機器の表示手段に表示される画面例（メニュー画面）を示す図である。
【図１５】本発明の第１の実施例に係る家電機器の表示手段に表示される画面例（チャプター画面）を示す図である。
【図１６】本発明の第２の実施例に係る記録装置を用いたデータの書き込み手順を示すフローチャート図である。
【図１７】本発明の第２の実施例に係る家電機器用データの作成手順を模式的に示す図である。
【符号の説明】
【００５６】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１１  通信ネットワーク
１２  サーバ
１３  データ読み取り手段
１４  分類手段
１５  インデックス画像生成手段
１６  データ生成手段
１７  記録制御手段
１８ａ  コンピュータ機器
１８ｂ  家電機器
１９  画像選択画面
２０  一覧表示欄
２１  拡大表示欄
２２  作業メニュー欄
２３  メニュー画面
２４  インデックス画面
１００  ポリカーボネート基板
１０１  有機色素層
１０２  反射層
１０３  保護層
【図１】
2007074054.tif 000003
【図２】
2007074054.tif 000004
【図３】
2007074054.tif 000005
【図４】
2007074054.tif 000006
【図５】
2007074054.tif 000007
【図６】
2007074054.tif 000008
【図７】
2007074054.tif 000009
【図８】
2007074054.tif 000010
【図９】
2007074054.tif 000011
【図１０】
2007074054.tif 000012
【図１１】
2007074054.tif 000013
【図１２】
2007074054.tif 000014
【図１３】
2007074054.tif 000015
【図１４】
2007074054.tif 000016
【図１５】
2007074054.tif 000017
【図１６】
2007074054.tif 000018
【図１７】
2007074054.tif 000019